(57)【要約】【課題】サムネイル表示がスクロールされても、選択されたサムネイルを表示範囲に残して、サムネイルの選択を容易に行えるようにする。【解決手段】録画再生装置１は、内蔵のハードディスク装置７に記憶された画像のサムネイル表示の命令をユーザから受け付けた場合、ハードディスク装置７に記憶された動画タイトルに応じたサムネイルデータ１４に基づきサムネイルレイアウトデータ２０を作成し、サムネイルレイアウトデータ２０の一部を表示装置１９へ出力する。表示装置１９で表示されたサムネイルのいずれかがユーザに選択された状態で、サムネイル表示のスクロール命令を受け付けた場合、録画再生装置１は、選択を受け付けたサムネイルを出力範囲の端に残して、他のサムネイルのみをスクロールする。【選択図】図１
2007104322.tif 000002
【特許請求の範囲】
【請求項１】
記憶媒体に記憶してある画像に応じたサムネイルを配置したサムネイル配置画を作成する配置画作成手段と、
作成したサムネイル配置画を出力する出力手段と、
該出力手段による出力範囲が、作成したサムネイル配置画の一部である場合、サムネイル配置画のスクロール命令を受け付ける命令受付手段と、
該命令受付手段がスクロール命令を受け付けた場合、サムネイル配置画の他部を含む範囲を前記出力手段が出力するように出力範囲を移動する出力範囲移動手段と、
前記出力手段が出力したサムネイル配置画に含まれるサムネイルの選択を受け付ける手段とを備え、
前記出力範囲移動手段は、選択を受け付けたサムネイルを出力範囲中に残して出力範囲の移動を行うようにしてあることを特徴とするサムネイル出力装置。
【請求項２】
前記出力範囲移動手段は、選択を受け付けたサムネイルを出力範囲中の端に残して出力範囲を移動する請求項１に記載のサムネイル出力装置。
【請求項３】
前記配置画作成手段は、スクロール方向に直交的な複数の行にわたってサムネイルを配置したサムネイル配置画を作成するようにしており、
前記出力手段は、複数行を出力するようにしており、
前記出力範囲移動手段は、スクロール方向に対して逆方向になる出力範囲中の端の行に選択を受け付けたサムネイルを残して出力範囲を移動する請求項２に記載のサムネイル出力装置。
【請求項４】
記憶媒体に記憶してある画像の中に動画が含まれており、
前記サムネイル配置画に含まれる動画に応じたサムネイルは、該サムネイルに係る動画の記憶場所を示す場所情報が関連付けてあり、
動画に応じたサムネイルの選択を受け付けた場合、該サムネイルに関連付けてある場所情報に基づいて動画の再生を行う動画再生手段を備え、
前記出力手段は、前記動画再生手段が再生する動画をサムネイル配置画中の選択されたサムネイルの箇所に配置して出力する請求項１乃至請求項３のいずれか１つに記載のサムネイル出力装置。
【請求項５】
装着式の記憶媒体を装着する装着部と、
装置内に取り付けてある内蔵記憶媒体と、
前記装着部が装着した記憶媒体に記憶してある画像に応じたサムネイルを前記内蔵記憶媒体に複写する手段とを備え、
前記配置画作成手段は、前記内蔵記憶媒体に記憶してあるサムネイルに基づいてサムネイル配置画を作成するようにしてある請求項１乃至請求項４のいずれか１つに記載のサムネイル出力装置。
【発明の詳細な説明】
【技術分野】
【０００１】
本発明は、記憶媒体に記憶された画像に応じたサムネイルの表示を行うものであり、特に、表示されたサムネイルのいずれかを選択した場合、サムネイル表示をスクロールしても選択したサムネイルの表示を続けるようにしたサムネイル出力装置に関する。
【背景技術】
【０００２】
従来、ＤＶＤ（Digital Versatile Disc）及びブルーレイディスク（Blu-ray Disc：登録商標）のようなディスク状の記憶メディアに対応した装置（録画再生装置、再生装置等）が存在する。また、装着式の記憶メディア用のドライブ部以外にハードディスク装置のような大容量の記憶媒体を内蔵した装置も多数存在する。
【０００３】
上述した装置は、各記憶媒体に画像（動画、静止画等のタイトル）が記憶されている場合、画像の内容を一目で確認できるように、画像を縮小したサムネイルを複数配置した表示（サムネイル表示）を可能にしていることが一般的である。なお、サムネイルは記憶媒体に予め記憶されている場合と、記憶媒体に記憶されている画像に基づき装置が作成する場合の２通りがあり、記憶媒体に予めサムネイルが記憶されている場合の方がスムーズにサムネイル表示を行える。
【０００４】
また、下記の特許文献１では、サムネイルを予め記憶媒体に記憶せずに、サムネイルを動画像又は静止画像として表示可能にした方法が開示されている。
【特許文献１】特開２００３−６１０３９号公報
【発明の開示】
【発明が解決しようとする課題】
【０００５】
サムネイル表示は、記憶媒体にどのような画像が記憶されているかを確認するのに有効であり、ユーザが、記憶媒体に記憶している画像の整理編集作業を行うような場合、作業対象にする画像をサムネイル表示中のサムネイルを手掛かりに選択することになる。また、サムネイル数が多数になる場合、一度のサムネイル表示で全サムネイルを表示できないため、装置はユーザからサムネイル表示のスクロール命令を受け付けられるようにスクロールバーを表示すると共に、スクロール命令を受け付けた場合、表示範囲を移動させて、全サムネイルをユーザが確認できるようにしている。
【０００６】
上記のように装置が、サムネイル表示のスクロールを行う場合、ユーザから選択を受け付けたサムネイルもスクロールするので、選択したサムネイルがスクロールに伴い隠れてしまう。そのため、ユーザは他のサムネイルを確認している間も、どのようなサムネイルを選択したかを覚えておく必要があり、サムネイル選択作業に係るユーザ負担が大きいと云う問題がある。特に、サムネイルの数が多い場合、複数のサムネイルをユーザが選択する場合などに上記問題は顕著になる。
【０００７】
また、サムネイルは静止画であるため、動画タイトルを作業対象としてサムネイル表示から選択する場合はサムネイルの一場面しか確認できず、サムネイル表示では動画の中身を詳しく確認できないと云う問題がある。さらに、サムネイル表示の対象となる画像が、装着式の記憶メディア（ＤＶＤ、ブルーレイディスク）に記憶されている場合、装着式の記憶メディアから画像を読み出してサムネイル表示を行わなければならないため、サムネイル表示及びサムネイル表示のスクロールをスムーズに行えないと云う問題がある。
【０００８】
本発明は、斯かる問題に鑑みてなされたものであり、サムネイル表示をスクロールしても、選択されたサムネイルを表示範囲内に残すようにして随時ユーザが確認できるようにしたサムネイル出力装置を提供することを目的とする。
また、本発明は、選択された動画に応じたサムネイルをサムネイル表示中で動画再生することで、サムネイルに係る動画の中身を詳しく確認できるようにしたサムネイル出力装置を提供することを目的とする。
さらに、本発明は、装着式の記憶メディアに記憶された画像に応じたサムネイル表示を行う場合でもスムーズな表示を可能にしたサムネイル出力装置を提供することを目的とする。
【課題を解決するための手段】
【０００９】
上記課題を解決するために本発明に係るサムネイル出力装置は、記憶媒体に記憶してある画像に応じたサムネイルを配置したサムネイル配置画を作成する配置画作成手段と、作成したサムネイル配置画を出力する出力手段と、該出力手段による出力範囲が、作成したサムネイル配置画の一部である場合、サムネイル配置画のスクロール命令を受け付ける命令受付手段と、該命令受付手段がスクロール命令を受け付けた場合、サムネイル配置画の他部を含む範囲を前記出力手段が出力するように出力範囲を移動する出力範囲移動手段と、前記出力手段が出力したサムネイル配置画に含まれるサムネイルの選択を受け付ける手段とを備え、前記出力範囲移動手段は、選択を受け付けたサムネイルを出力範囲中に残して出力範囲の移動を行うようにしてあることを特徴とする。
【００１０】
本発明にあっては、サムネイル配置画の中からサムネイルの選択を受け付けた場合、スクロールしても選択を受け付けたサムネイルをサムネイル出力装置から出力する範囲中に残すので、ユーザが選択したサムネイルは、スクロールされても常に表示されたままになる。そのため、編集対象のサムネイルを選択する場合でも、一度選択したサムネイルを表示した状態で他のサムネイルを探すと云う作業形態が可能になり、多数のサムネイルの中からサムネイルを選択する場合、複数のサムネイルを選択する場合などにユーザのサムネイル選択に対する作業負担を低減できる。
【００１１】
本発明に係るサムネイル出力装置は、前記出力範囲移動手段は、選択を受け付けたサムネイルを出力範囲中の端に残して出力範囲を移動することを特徴とする。
本発明にあっては、選択を受け付けたサムネイルを出力範囲中の端に残すので、ユーザが選択したサムネイルは、スクロールを行っても表示範囲の端に表示されたままになる。そのため、選択したサムネイルの位置が明確になるため、選択したサムネイルの内容を確認しやすくなり、新たに選択しようとするサムネイルと選択したサムネイルとの比較等も容易に行える。
【００１２】
本発明に係るサムネイル出力装置は、前記配置画作成手段は、スクロール方向に直交的な複数の行にわたってサムネイルを配置したサムネイル配置画を作成するようにしており、前記出力手段は、複数行を出力するようにしており、前記出力範囲移動手段は、スクロール方向に対して逆方向になる出力範囲中の端の行に選択を受け付けたサムネイルを残して出力範囲を移動することを特徴とする。
【００１３】
本発明にあっては、複数行でサムネイル表示を行う場合、スクロール方向と逆方向になる端の行に選択されたサムネイルが残ることになり、スクロールに応じて自然と選択されたサムネイルが端の行に残るような形態をユーザに提供できると共に、選択したサムネイルと他のサムネイルとを識別しやすくなる。特に、複数のサムネイルを選択した場合は、スクロールに伴い、端の行に選択された複数のサムネイルが並ぶことになり、選択したサムネイルの判別が容易になる。なお、スクロール方向を一方向から多方向に切り替えた場合は、切り替えたスクロール方向に応じて選択されたサムネイルが残る端の行も切り替わることになる。
【００１４】
本発明に係るサムネイル出力装置は、記憶媒体に記憶してある画像の中に動画が含まれており、前記サムネイル配置画に含まれる動画に応じたサムネイルは、該サムネイルに係る動画の記憶場所を示す場所情報が関連付けてあり、動画に応じたサムネイルの選択を受け付けた場合、該サムネイルに関連付けてある場所情報に基づいて動画の再生を行う動画再生手段を備え、前記出力手段は、前記動画再生手段が再生する動画をサムネイル配置画中の選択されたサムネイルの箇所に配置して出力することを特徴とする。
【００１５】
本発明にあっては、選択したサムネイルに係る動画を再生表示するため、サムネイルのような一場面だけでなく、動画の他の場面も連続的にユーザが見ることができ、整理編集対象となる画像の中身を詳細に確認でき、整理編集作業の効率化を図れる。なお、動画の再生表示はサムネイル表示中の複数のサムネイルに対して同時的に行えるようにすることが、多数の動画内容を同時的に確認できるため好適である。
【００１６】
本発明に係るサムネイル出力装置は、装着式の記憶媒体を装着する装着部と、装置内に取り付けてある内蔵記憶媒体と、前記装着部が装着した記憶媒体に記憶してある画像に応じたサムネイルを前記内蔵記憶媒体に複写する手段とを備え、前記配置画作成手段は、前記内蔵記憶媒体に記憶してあるサムネイルに基づいてサムネイル配置画を作成するようにしてあることを特徴とする。
【００１７】
本発明にあっては、装着部に装着された記憶媒体に記憶してある画像に応じたサムネイルを内蔵記憶媒体に複写するので、配置画作成手段は内蔵記憶媒体に記憶されたサムネイルに基づいてサムネイル配置画の作成が可能になる。そのため、内蔵記憶媒体に対する読出処理だけでサムネイル配置画を作成して、サムネイル配置画の作成に要する時間を短縮し、サムネイル配置画を迅速に表示できると共に、サムネイルのスクロール表示もスムーズに行える。
【発明の効果】
【００１８】
本発明にあっては、スクロールしても選択を受け付けたサムネイルをサムネイル出力装置から出力する範囲中に残すので、ユーザは選択したサムネイルを常に確認できると共に、他の所望のサムネイルも容易に探すことができ、サムネイル表示を用いて編集対象の選択を行う際のユーザ負担を低減できる。
本発明にあっては、選択を受け付けたサムネイルを出力範囲中の端に残すので、選択したサムネイルの位置を明確に規定でき、ユーザは選択したサムネイルと他のサムネイルとの判別を容易に行える。
【００１９】
本発明にあっては、スクロール方向と逆方向になる端の行に選択されたサムネイルを残すので、スクロールに応じて選択されたサムネイルが自然と端の行に残る表示形態をユーザに提供でき、また、複数のサムネイルを選択した場合でも選択された各サムネイルが端の行に並ぶため、他のサムネイルとの区別を明確に行える。
【００２０】
本発明にあっては、選択したサムネイルに係る動画を再生表示するため、整理編集対象にする画像の中身を詳細に確認できる。
本発明にあっては、装着部に装着された記憶媒体に記憶してある画像に応じたサムネイルを内蔵記憶媒体に複写するので、サムネイル配置画を迅速に表示できると共に、サムネイル表示のスクロールもスムーズに行える。
【発明を実施するための最良の形態】
【００２１】
図１は、本発明の実施形態に係る録画再生装置１（サムネイル出力装置に相当）の主要な内部構成を示すブロック図である。本実施形態の録画再生装置１は、ハードディスク装置７を内蔵すると共に、ＤＶＤ（記憶媒体、記憶メディア）の装着が可能なＤＶＤドライブ部８を設けている。また、録画再生装置１は、ハードディスク装置７又はＤＶＤに記憶された画像に応じたサムネイル表示のスクロールを可能にすると共に、スクロールしてもユーザにより選択されたサムネイルを表示範囲中に残すようにしている。以下、録画再生装置１の内部構成について説明する。
【００２２】
録画再生装置１は、チューナ部２、画像処理部３、メモリ４、制御部５、外部出力部６、ハードディスク装置７、ＤＶＤドライブ部８、操作部１１、及びリモコン装置１３の受光部１２を内部バス１ａで接続した構成にしている。上述した各部の中で制御部５が録画再生装置１の各種機能を実現するために、各部（２、３等）の作動に係る処理を制御している。以下、各部（２、３等）を説明する。
【００２３】
チューナ部２は、放送電波の受信を行うものである。また、画像処理部３は画像を再生表示するための処理を行い、特に、再生表示の対象が動画である場合、動画の再生に係る各種処理を制御部５の制御に基づき行う。メモリ４は、制御部５の処理に係るデータ及びファイルを一時的に記憶する部分と、制御部５が行う制御内容を規定したプログラムＰを記憶する部分を有し、前者の部分には出力用の表示データ等が一時的に記憶される。
【００２４】
外部出力部６は、テレビジョン装置のような表示装置１９が接続されるものであり、録画再生装置１が各種内容を出力する出力手段に相当している。よって、録画再生装置１が画像等を外部出力部６を通じて表示装置１９へ出力すると、表示装置１９の表示画面１９ａには出力内容が表示される。なお、表示装置１９は、録画再生装置１の構成要素には含まれない。
【００２５】
ハードディスク装置７は、録画再生装置１内に取り付けられた内蔵記憶媒体であり、チューナ部２で放送された番組コンテンツに相当する動画タイトル（第１タイトル〜第ｎタイトル）、及び各動画タイトルの最初のフレームを表すサムネイル（サムネイルデータ１４）等を記憶する。なお、ハードディスク装置７に記憶されるサムネイルには、サムネイルに応じた動画タイトルのハードディスク中の記憶場所（アドレス）を示す場所情報が付されているものとする。またハードディスク装置７は、制御部５の制御処理に基づき、ＤＶＤドライブ部８及び図示しない外部機器接続部を通じてダビングされてきたコンテンツ、及び様々なデータ、ファイル等も記憶する。
【００２６】
ＤＶＤドライブ部８は、ＤＶＤを装着する装着部に相当し、装着されたＤＶＤに記憶されている内容の読出及び書込処理を行う。なお、ＤＶＤには複数の画像（動画タイトル）が予め記憶されていると共に、各タイトルの最初のフレームを表すサムネイルも記憶されているものとする。また、これらサムネイルには、各サムネイルに応じた動画タイトルが記憶されているＤＶＤ中の場所（アドレス）を示す場所情報が関連付けられているものとする。
【００２７】
操作部１１は、上下左右キー及び決定キー（図示せず）等の複数のキーボタンで構成されており、ユーザがボタン及びスイッチ等を操作することでユーザの操作命令を受け付けて、受け付けた操作命令を制御部５へ伝達する。なお、本実施形態の操作部１１は、図２に示すようなサムネイル表示を行う操作命令、上下キーの操作によるサムネイル表示をスクロールさせるスクロール命令、上下左右キー及び決定キーの操作によるサムネイル表示中（出力範囲中）に含まれるサムネイルのいずれかを選択するサムネイル選択命令のような様々な命令をユーザから受付可能にしている。
【００２８】
受光部１２は、リモコン装置１３から発せられる命令信号を含む光を受光するものであり、受光した光に含まれる命令信号を制御部５へ伝達する。なお、録画再生装置１に付随するリモコン装置１３は、操作部１１と同等の操作命令をユーザから受け付けられるように上下左右キー及び決定キー等を有している。
【００２９】
次に、制御部５が行う録画再生装置１の各種機能に対する制御処理の中で、本発明の特徴となる図２に示すサムネイル表示に対するスクロールに係る制御処理を説明する。
先ず、制御部５は、ＤＶＤドライブ部８にＤＶＤが装着されたか否かを検出しており、装着を検出した場合、装着されたＤＶＤに記憶されたサムネイルをハードディスク装置７へ複写する制御を行う。
【００３０】
また、制御部５は、ハードディスク装置７が、複写されたサムネイルと予め記憶していた自身に記憶されていたタイトルのサムネイルをサムネイルデータ１４として記憶するように制御を行う。このような状態で、操作部１１又はリモコン装置１３が、ＤＶＤ又はハードディスク装置７のいずれかに対して、サムネイル表示を行う操作命令をユーザから受け付けた場合、ハードディスク装置７に記憶されたサムネイルデータ１４に基づいて表示装置１９で表示させるためのサムネイルレイアウトデータ２０（サムネイル配置画に相当）をメモリ４で作成する処理を、制御部５は行う。
【００３１】
図３及び図４は、サムネイル表示の対象としてハードディスク装置７が指定された場合に作成されたサムネイルレイアウトデータ２０の例を示している。サムネイルレイアウトデータ２０は、表示装置１９の表示画面１９ａでの表示形態（図２に示すサムネイル表示）における横方向の行に、図３中左から右へ計４個のサムネイルを配置し、そのような行をサムネイルの個数に応じて複数、設けたサムネイルレイアウトデータ２０を作成する。
【００３２】
また、図３及び図４中、矩形の破線で示す枠はスクロール枠２１であり、制御部５はスクロール枠２１で囲まれた範囲のサムネイルを少なくとも出力対象に含めると共に、ユーザからのスクロール命令に応じてスクロール枠２１を上下いずれか一方の方向に移動させる制御を行う（図４参照）。なお、本実施形態のスクロール枠２１は、サムネイルレイアウトデータ２０の３行分のサムネイルを囲む大きさを有している。
【００３３】
サムネイルが選択されていない場合、制御部５は、スクロール枠２１で囲まれた範囲を出力範囲にしており、例えば、スクロール枠２１が図３の状態で位置する場合、スクロール枠２１で囲まれたサムネイル（ＨＤＤ１〜ＨＤＤ１２）を外部出力部６から出力する制御を行う。そのため、この場合ではサムネイル（ＨＤＤ１〜ＨＤＤ１２）が図２に示すように表示される。また、スクロール枠２１が図４の状態で位置する場合、表示装置１９はサムネイル（ＨＤＤ１７〜ＨＤＤ２８）を表示することになる。
【００３４】
なお、制御部５は、作成したサムネイルレイアウトデータ２０の行数が、スクロール枠２１の囲む行数（３行）より大きい場合、図２等に縦方向のスクロールバー２２をサムネイルの出力範囲の右横に付して出力を行い、ユーザからスクロール命令を受け付けられる状態にする。
【００３５】
また、ユーザからサムネイル選択命令を受け付けた状態でスクロール命令を受け付けた場合、制御部５は、選択命令に係るサムネイルが出力範囲（この場合、スクロール枠２１で囲まれた範囲）において、スクロール命令に係るスクロール方向の逆方向になる端の行に位置するか否かを判断する。選択命令に係るサムネイルが端の行に位置しないと判断したとき、制御部５は、上述した場合と同様に通常通りのスクロール枠２１の移動制御を行う。
【００３６】
一方、選択命令に係るサムネイルが端の行に位置すると判断したとき、制御部５は、選択に係るサムネイルを囲まないようにスクロール枠２１を変形する処理を行う。例えば、図３に示す状態で、左上隅のサムネイルＨＤＤ１がユーザに選択されると共に、スクロール枠２１を下方に移動させるスクロール命令を受け付けた場合、スクロール枠２１を、図５に示すようにスクロール方向と逆方向になる上側の行の左隅に切欠部３１ａを設けたスクロール枠３１に変形する。
【００３７】
スクロール枠３１に変形した後は、制御部５はスクロール枠３１で囲まれた範囲に加えて、スクロール枠３１の切欠部３１ａに配置した状態のサムネイルＨＤＤ１を出力範囲として外部出力部６から出力する制御を行う。
【００３８】
このような制御を行うことで、表示装置１９の表示画面１９ａに表示される内容は、最初の図３に示すスクロール枠２１で囲まれた状態（サムネイルＨＤＤ１〜ＨＤＤ１２）から、スクロールの進行に伴い図６（ａ）に示す状態、図６（ｂ）に示す状態、図６（ｃ）に示す状態へと遷移する。
【００３９】
図６（ａ）に示す状態は、図５に示すスクロール枠３１がサムネイルレイアウトデータ２０の２行目Ｌ２〜４行目Ｌ４を囲っている状態に対応している。詳しくは、表示画面１９ａの最上行１９１では、左列に選択されたサムネイルＨＤＤ１が表示されると共に、左より２列目から４列目にはサムネイルレイアウトデータ２０の２行目Ｌ２に含まれるサムネイルＨＤＤ６〜サムネイルＨＤＤ８が表示される。さらに、表示画面１９ａの中行１９２にはサムネイルレイアウトデータ２０の３行目Ｌ３に含まれるサムネイルＨＤＤ９〜サムネイルＨＤＤ１２が表示され、最下行１９３にはサムネイルレイアウトデータ２０の４行目Ｌ４に含まれるサムネイルＨＤＤ１３〜サムネイルＨＤＤ１６が表示される。
【００４０】
また、図６（ｂ）に示す状態は、図６（ａ）に示す状態から１行分、下方にスクロールされて図５に示すスクロール枠３１がサムネイルレイアウトデータ２０の３行目Ｌ３〜５行目Ｌ５を囲っている状態に対応している。そのため、表示画面１９ａの最上行１９１の左隅に選択されたサムネイルＨＤＤ１が表示されると共に、他の領域にはスクロール枠３１で囲まれたサムネイルＨＤＤ１０〜サムネイルＨＤＤ２０が表示されている。
【００４１】
さらに、図６（ｃ）に示す状態は、図６（ｂ）に示す状態から１行分、下方にスクロールされて図５に示すスクロール枠３１がサムネイルレイアウトデータ２０の４行目Ｌ４〜６行目Ｌ６を囲っている状態に対応している。そのため、表示画面１９ａの最上行１９１の左隅に選択されたサムネイルＨＤＤ１が表示されると共に、他の領域にはスクロール枠３１で囲まれたサムネイルＨＤＤ１４〜サムネイルＨＤＤ２４が表示されている。
【００４２】
このように、選択されたサムネイルＨＤＤ１は、下方へのスクロールに関わらず、常に表示範囲の左上隅に表示されるので、ユーザは選択したサムネイルＨＤＤ１を確認しながら、他の選択対象となるサムネイルをスクロールして探すことができる。
【００４３】
また、図７（ａ）に示す状態は、図４に示す状態でスクロール枠２１が位置する場合で、表示画面１９ａにおいて中行１９２で左列のサムネイルＨＤＤ２１が選択されて、下方へのスクロール命令を受け付けたときを示す。このとき、選択されたサムネイルＨＤＤ２１は、スクロール方向と逆方向になる最上行１９１に位置しないので制御部５は、まだスクロール枠２１を変形しないで下方に移動させる制御を行う。
【００４４】
図７（ｂ）に示す状態は、図７（ａ）に示す状態から１行分、下方にスクロールされた状態を示している。この状態でも下方へのスクロール命令が続いているときは、選択されたサムネイルＨＤＤ２１は、スクロール方向と逆方向になる最上行１９１に位置するため制御部５は、スクロール枠２１を図５に示すスクロール枠３１に変形し、変形したスクロール枠３１をスクロール命令に従って下方へ移動させる制御を行う。このときも、制御部５は、スクロール枠３１で囲まれた範囲と、選択されたサムネイルＨＤＤ２１を出力するので、図７（ｃ）に示す状態のサムネイル表示を得ることができる。
【００４５】
よって、スクロール方向と逆方向になる端の行に位置しないサムネイルが選択された場合は、上述したように、選択されたサムネイルが端の行に来るまでは通常通りのスクロールが行われ、端の行に来た後は選択されたサムネイルを残して、それ以外のサムネイルがスクロールされる。その結果、スクロールの状態に合わせて選択されたサムネイルを自然に残した状態でサムネイル表示のスクロールを行うことができ、ユーザに違和感を覚えさせることなく、ユーザフレンドリーなサムネイル表示を提供できる。
【００４６】
なお、複数のサムネイルが選択されてスクロール命令が行われる場合も、制御部５は上記と同様にスクロール枠の変形処理を行う。例えば、図７（ｂ）に示すようにサムネイルＨＤＤ２１が選択された状態で、更に最上行１９１の左から３番目の列のサムネイルＨＤＤ２３が選択されて下方へのスクロール命令を受け付けると、制御部５は、図８（ａ）に示すように、各サムネイルＨＤＤ２１、２３に対応した箇所に切欠部４１ａ、４１ｂを設けたスクロール枠４１へ変形する処理を行う。
【００４７】
さらに、図７（ｂ）に示すようにサムネイルＨＤＤ２１が選択された状態で、更に中行１９２の左列のサムネイルＨＤＤ２５が選択されて下方へのスクロール命令を受け付けると、サムネイルＨＤＤ２５は図５に示すスクロール枠３１では、切欠部３１ａによりスクロール方向と逆方向になる端の行に位置するため、制御部５は、図８（ｂ）に示すような左列の上から２行分を切り欠いた切欠部５１ａを設けたスクロール枠５１への変形処理を行う。
【００４８】
また、上方へのスクロールも、下方へのスクロールと同様であり、例えば、図７（ａ）に示すような状態で、中行１９２で左列のサムネイルＨＤＤ２１が選択されて、上方へのスクロール命令を受け付けた場合、この状態ではまだ、選択されたサムネイルＨＤＤ２１は、スクロール方向と逆方向になる最下行１９３に位置しないので、制御部５は図４に示す矩形状のスクロール枠２１を変形することなく、上方へ移動させる制御を行う。
【００４９】
スクロール枠２１が１行分上方へ移動することで、表示画面１９ａが図９（ａ）に示す状態になった場合、選択されたサムネイルＨＤＤ２１は最下行１９３に位置するので、制御部５は、矩形状のスクロール枠２１を図１０に示す左列最下行を切り欠いた切欠部６１ａを設けたスクロール枠６１へ変形する処理を行う。以降、上方へのスクロール命令が続くと、スクロール枠６１に囲まれた範囲と、選択されたサムネイルＨＤＤ２１を出力するように制御部５は、制御を行うので、スクロール枠６１を１行分上方へ移動した場合は、図９（ｂ）に示すようなサムネイル表示を得られる。
【００５０】
このように上方へスクロールする場合も、選択されたサムネイルはスクロールに伴い最下行１９３に位置することになり、スクロールに伴う自然な流れで選択したサムネイルを表示画面１９ａ中の最下行１９３に配置できると共に、選択したサムネイルを確認しながらスクロールにより編集対象の他のサムネイルを容易に探すことができる。
【００５１】
一方、サムネイルを選択していた状態でスクロールの方向を切り替える場合も、制御部５は基本的に適宜スクリーン枠の変形を行って、選択したサムネイルをスクロール方向と逆方向の端の行へ配置する制御を行うが、切替の過渡期に例外的なスクリーン枠を生成する処理を行う。
【００５２】
例えば、図７（ａ）に示すようにサムネイルＨＤＤ２１を選択して下方にスクロールさせていて、図７（ｂ）の状態を経て図７（ｃ）に示す状態にサムネイル表示が遷移したとする。この図７（ｂ）に示す状態で、最下行１９３で左から３列目のサムネイルＨＤＤ３５が選択されて、上方へのスクロール命令を制御部５が受け付けた場合を想定する。
【００５３】
この場合、新たに選択されたサムネイルＨＤＤ３５は、上方へのスクロールと逆方向の端の行（最下行１９３）に位置するので、制御部５は、図７（ｃ）への移動までに用いていた図５に示すスクロール枠３１から図１０（ｂ）に示すスクロール枠７１へ変形する制御を行う。スクロール枠７１は、スクロール枠３１の切欠部３１ａに対応した切欠部７１ａを有すると共に、新たに選択されたサムネイルＨＤＤ３５に対応して最下行の左から３列目を切り欠いた切欠部７１ａを設けた形状になっている。
【００５４】
制御部５は、以降、上方へのスクロール命令があると、このスクロール枠７１を上方へ移動させる制御を行い、また、先に選択されていた左上隅のサムネイルＨＤＤ２１が本来の行に並んだかを検出する制御も行う。
【００５５】
図１１（ａ）に示す状態は、図７（ｃ）に示す状態でサムネイルＨＤＤ３５が選択されてから、上方のスクロール命令を受け付けて、図１０（ａ）のスクロール枠７１を１行分上方へ移動させた場合を示している。この場合では、先に選択されていた左上隅のサムネイルＨＤＤ２１が、本来の行であるサムネイルＨＤＤ２２〜サムネイルＨＤＤ２４に最上行１９１で並んでいるので、このように並んだことを制御部５は検出する。
【００５６】
検出に応じて、制御部５は、図１０（ａ）のスクロール枠７１を図１２（ａ）のスクロール枠８１へ変形する制御を行う。図１２（ａ）のスクロール枠８１は、サムネイルＨＤＤ２１に応じた切欠部７１ａを無くして、新たに選択されたサムネイルＨＤＤ３５に対応して最下行の左から３列目を切り欠いた切欠部８１ａを設けた形状になっている。
【００５７】
制御部５は、以降、上方へのスクロール命令が続くと、このスクロール枠８１をサムネイルレイアウトデータ２０に重ねて上方へ移動させる制御を行う。図１１（ｂ）に示す状態は、図１１（ａ）に示す状態から図１２（ａ）のスクロール枠８１を１行分、上方へ移動した状態に対応する。さらに、図１１（ｃ）に示す状態は、図１１（ｂ）に示す状態かスクロール枠８１を１行分、上方へ移動した状態に対応している。
【００５８】
図１１（ｃ）に示す状態では、先に選択されたサムネイルＨＤＤ２１が、上方へのスクロールと逆方向になる最下行１９３に位置するので、制御部５は上方へのスクロール命令が継続する場合は、図１２（ａ）のスクロール枠８１を図１２（ｂ）のスクロール枠９１へ変形する制御を行う。このスクロール枠９１は、サムネイルＨＤＤ３５に対応する箇所を切り欠いた切欠部９１ｂを有すると共に、サムネイルＨＤＤ２１に対応した左下隅を切り欠いた切欠部９１ａを有する。
【００５９】
以降、上方へのスクロール命令が継続すると、制御部５は、図１２（ｂ）に示すスクロール枠９１を上方へ移動させるので、上方へスクロールされても、表示画面１９ａの最下行１９３の左列にはサムネイルＨＤＤ２１が表示され、最下行１９３の左から３列目にはサムネイルＨＤＤ３５が表示されるので、ユーザは既に選択したサムネイルＨＤＤ２１、３５と、新たな選択対象の各サムネイルを容易に比較検討することができる。
【００６０】
また、制御部５は、上述したスクロールに関連したサムネイルの選択命令に対する処理に加えて、選択を受け付けたサムネイルに対しては、そのサムネイルに関連付けられた場所情報を参照し、その参照した場所情報に記憶されている動画タイトルの再生処理を画像処理部３に行わせる制御を行う。さらに、制御部５は、再生した動画内容を、選択を受け付けたサムネイルの場所に配置して、サムネイルレイアウトデータ２０と共に外部出力部６から出力する制御を行う。
【００６１】
制御部５がこのような制御を行うことで、ユーザが表示装置１９に表示された各サムネイルを選択すると、選択されたサムネイルの動画再生が表示されることになり、サムネイルのような一場面だけでなく、動画タイトルの中身を連続的に確認できるようになり、整理編集作業で各動画タイトルの中身を詳細に確認したい場合に役立つ機能になる。なお、サムネイルの選択は複数可能であり、複数選択された場合は、画像処理部３は時分割処理を行って複数の動画タイトルの再生を行う。
【００６２】
図１３に示す第１フローチャートは、上述した録画再生装置１のサムネイル表示に係る処理内容の手順を整理したものである。以下、この第１フローチャートに従って、サムネイル表示の処理手順を説明する。
まず、録画再生装置１（制御部５）は、ユーザからサムネイル表示の命令を受け付けたか否かを判断する（Ｓ１）、命令を受け付けていない間は（Ｓ１：ＮＯ）、録画再生装置１は命令待ちの状態になる。
【００６３】
命令を受け付けた場合（Ｓ１：ＹＥＳ）、録画再生装置１は図３に示すサムネイルレイアウトデータ２０を作成し（Ｓ２）、スクロール枠２１で囲んだ１行目Ｌ１〜３行目Ｌ３に配置されたサムネイルレイアウトデータ２０の一部分を出力し（Ｓ３）、図２に示すようなサムネイル表示を表示装置１９の表示画面１９ａで行う。
【００６４】
図１４に示す第２フローチャートは、上述した録画再生装置１においてサムネイル選択及びスクロール表示に係る基本的な処理内容の手順を整理したものである。以下、サムネイル選択及びスクロール表示に係る処理内容を第２フローチャートに基づき説明する。
【００６５】
先ず、録画再生装置１（制御部５）は、表示装置１９に表示した各サムネイルの中からユーザによりサムネイル選択を受け付けたか否かを判断する（Ｓ１０）。サムネイル選択を受け付けていない場合（Ｓ１０：ＮＯ）、次に、録画再生装置１は、ユーザからスクロール命令を受け付けたか否かを判断し（Ｓ１１）、スクロール命令を受け付けていない場合（Ｓ１１：ＮＯ）、最初の処理段階（Ｓ１０）へ戻る。なお、録画再生装置１がスクロール命令を受け付けた場合（Ｓ１１：ＹＥＳ）、スクロール枠の移動段階（Ｓ１５）へ処理を進める。
【００６６】
また、録画再生装置１が、サムネイル選択を受け付けた場合（Ｓ１０：ＹＥＳ）、次に録画再生装置１は、上述の処理段階（Ｓ１１）と同様に、ユーザからスクロール命令を受け付けたか否かを判断し（Ｓ１２）、スクロール命令を受け付けていない場合（Ｓ１２：ＮＯ）、スクロール命令の受付待ちの状態なる。一方、録画再生装置１がスクロール命令を受け付けた場合（Ｓ１２：ＹＥＳ）、選択されたサムネイルが表示装置１９の表示画面１９ａで、スクロール命令に係るスクロール方向と逆方向の端の行に位置するか否かを判断する（Ｓ１３）。
【００６７】
端の行に位置すると判断した場合（Ｓ１３：ＹＥＳ）、録画再生装置１は、矩形状のスクロール枠２１から、選択されたサムネイルが位置する箇所を切り欠いた形状のスクロール枠（例えば、図５のスクロール枠３１）へ変形する（Ｓ１４）。それからは、その変形したスクロール枠を移動させて（Ｓ１５）、表示画面１９ａの表示内容を遷移（スクロール）させる。なお、選択されたサムネイルが端の行に位置しない場合（Ｓ１３：ＮＯ）は、スクロール枠を変形することなく、スクロール枠を移動させることになる（Ｓ１５）。
【００６８】
スクロール枠の移動後は、ユーザからのスクロール命令が継続するか否かを録画再生装置１は判断し（Ｓ１６）、スクロール命令が継続すると判断した場合（Ｓ１６：ＹＥＳ）、スクロールに伴い選択されたサムネイルがスクロール方向と逆方向になる端の行に位置するかを判断する段階（Ｓ１３）へ戻る。また、スクロール命令が継続していないと判断した場合（Ｓ１６：ＮＯ）、録画再生装置１はスクロールに係る処理を終了する。
【００６９】
なお、上述した説明では、ハードディスク装置７に記憶された動画タイトルに応じたサムネイルに対して説明したが、ＤＶＤドライブ部８（図１参照）に装着されたＤＶＤに記憶された動画タイトルに応じたサムネイル表示も、基本的に同様な処理で行われる。
【００７０】
即ち、ＤＶＤドライブ部８にＤＶＤが装着されると、ＤＶＤに予め記憶されたサムネイルはハードディスク装置７へ複写されるので、録画再生装置１がユーザからＤＶＤに対するサムネイル表示の命令を受け付けた場合、ハードディスク装置７に記憶されたＤＶＤのサムネイルデータ１４に応じて制御部５は、図３に示すようなＤＶＤ用のサムネイルレイアウトデータ２０をメモリ４で随時作成する。そのため、サムネイル表示に関しては、ＤＶＤからのデータ読出は行わないので、迅速にサムネイル表示を行えると共に、サムネイル表示のスクロールもスムーズに行える。また、ＤＶＤが動画のサムネイルを記憶していた場合で、動画のサムネイル表示からいずれかのサムネイルが選択されたときは、選択されたサムネイルに応じた動画タイトルがＤＶＤから読み出されて動画再生が行われる。
【００７１】
なお、本実施形態１に係る録画再生装置１は、上述した形態に限定されるものではなく種々の変形例が存在する。まず、ハード的には、図１に示す構成に限定されるものではなく、ＤＶＤドライブ部８以外にも、他の種類の記憶メディア、例えば、ＢＤ（ブルーレイディスク）、ＨＤ−ＤＶＤ（High Definition ＤＶＤ）等に対応した新たなドライブ部を設けてもよい。また、新たなドライブ部に装着された記憶メディアのサムネイル表示に関してはＤＶＤと同様な処理を行って、素早くサムネイル表示を行うと共に、サムネイル表示をスムーズにスクロールし、さらに、選択されたサムネイルは出力範囲中に残すようにする。
【００７２】
さらに、録画再生装置１が少なくとも２つ以上の記憶メディア（記憶媒体）に対してデータの読み出しを行える場合は、サムネイル表示を記憶メディア毎に行うのではなく、一つのサムネイル表示中に各記憶メディアのサムネイルを組み合わせて配置するようにしてもよい。例えば、録画再生装置１がハードディスク装置（ＨＤＤ）を内蔵すると共に、ＤＶＤ専用、ＢＤ専用、及びＨＤ−ＤＶＤ専用の計３個のドライブ装置を具備して、各ドライブ装置のそれぞれにＤＶＤ、ＢＤ、ＨＤ−ＤＶＤが装着されているときは、図２のサムネイル表示の左端の列をＨＤＤ用、左から２番目の列をＤＶＤ用、左から３番目の列をＢＤ用、左から４番目の列をＨＤ−ＤＶＤ用として、各記憶メディアのサムネイルを列ごとに配置したサムネイル表示を行ってもよい。
【００７３】
また、録画再生装置１が、サムネイル表示のために出力する範囲の大きさは、図２に示す３行４列の形態に限定されるものではなく、適宜増減することが可能である。さらに、サムネイル表示で選択されたサムネイルを出力範囲中に残す位置は、スクロール方向の逆方向の端の行に限定されるものではなく、適宜変更することが可能である。例えば、図７（ａ）に示すサムネイル表示において、中行１９２で左列のサムネイルＨＤＤ２１が選択された場合、スクロールされても選択されたサムネイルＨＤＤ２１を常に中行１９２の左列に表示し続けるような形態を適用することも可能である。
【００７４】
さらにまた、サムネイル表示に係る処理の変形例としては、例えば、ＤＶＤのような装着式の記憶メディアにサムネイルが予め記憶されていない場合は、録画再生装置１の制御部５は、装着された記憶メディアに記憶された画像（動画、静止画）に応じたサムネイルを先ず作成してから、その作成したサムネイルをハードディスク装置７へ複写する処理を行う。また、本発明の録画再生装置１で対象となるサムネイルは、動画タイトルの最初のフレームに応じたものだけでなく、動画タイトルの各チャプタを示すサムネイルも対象にできる。
【００７５】
さらに、録画再生装置１の仕様を簡略化する場合は、選択されたサムネイルの動画再生を行う処理を省略することが可能である。さらにまた、本発明の録画再生装置１は、静止画に応じたサムネイルも上述した処理を行うことでサムネイル表示を行うことができ、サムネイルの選択及びスクロール表示についても、動画再生に係る処理を除いて上述した内容と同様の処理を行うことが可能である。また、サムネイル表示を行う場合、出力先の表示装置１９の解像度、画面サイズ、又はユーザの嗜好に応じて、図２に示す行（横方向）と列（縦方向）の関係を入れ替えたような形態にしてもよい。
【図面の簡単な説明】
【００７６】
【図１】本発明の実施形態に係る録画再生装置の構成を示すブロック図である。
【図２】サムネイル表示の一例を示す概略図である。
【図３】サムネイルレイアウトデータの構成を示す概略図である。
【図４】サムネイルレイアウトデータ上でのスクロール枠の移動状態を説明する概略図である。
【図５】左上隅のサムネイルが選択された場合に対応して変形されたスクロール枠を示す概略図である。
【図６】（ａ）〜（ｃ）は、左上隅のサムネイルが選択された場合における下方へのスクロール命令に対するサムネイル表示の遷移を示す概略図である。
【図７】（ａ）〜（ｃ）は、下方へのスクロール命令に対するサムネイル表示の他の遷移形態を示す概略図である。
【図８】（ａ）は最上行の２つのサムネイルが選択された場合のスクロール枠を示す概略図であり、（ｂ）は左列の最上行及び中行の２つのサムネイルが選択された場合のスクロール枠を示す概略図である。
【図９】（ａ）（ｂ）は、左下隅のサムネイルが選択された場合における上方へのスクロール命令に対するサムネイル表示の遷移を示す概略図である。
【図１０】（ａ）は、左下隅のサムネイルが選択された場合に対応して変形されたスクロール枠を示す概略図であり、（ｂ）は２箇所のサムネイルが選択された場合に対応して変形されたスクロール枠を示す概略図である。
【図１１】（ａ）〜（ｃ）は、下から上へスクロール方向を切り替えた場合のサムネイル表示の遷移を示す概略図である。
【図１２】（ａ）は最下行のサムネイルが選択された場合に対応して変形されたスクロール枠を示す概略図であり、（ｂ）は最下行の２個のサムネイルが選択された場合に対応して変形されたスクロール枠を示す概略図である。
【図１３】サムネイル表示に係る処理手順を示す第１フローチャートである。
【図１４】サムネイルの選択及びサムネイル表示のスクロールに係る処理手順を示す第２フローチャートである。
【符号の説明】
【００７７】
１  録画再生装置
５  制御部
６  外部出力部
７  ハードディスク装置
８  ＤＶＤドライブ部
１１  操作部
１３  リモコン装置
１４  サムネイルデータ
１９  表示装置
２０  サムネイルレイアウトデータ
２１、３１、４１、５１、６１、７１、８１、９１  スクロール枠
【図１】
2007104322.tif 000003
【図２】
2007104322.tif 000004
【図３】
2007104322.tif 000005
【図４】
2007104322.tif 000006
【図５】
2007104322.tif 000007
【図６】
2007104322.tif 000008
【図７】
2007104322.tif 000009
【図８】
2007104322.tif 000010
【図９】
2007104322.tif 000011
【図１０】
2007104322.tif 000012
【図１１】
2007104322.tif 000013
【図１２】
2007104322.tif 000014
【図１３】
2007104322.tif 000015
【図１４】
2007104322.tif 000016